(57)【特許請求の範囲】
【請求項１】
電源プラグ（２０）と、
バックアップ電源（５４）と、
当該電源プラグからのＡＣ電力の有無を検出する電力検出器（５６）と、
電力線との間で非接触でＰＬＣ（電力線通信）信号を結合するＰＬＣ信号結合器（４６）と、
ＰＬＣ信号入出力端子を具備する電力線通信のモデム装置（４８）と、
当該電力検出器の検出結果に従い、当該電源プラグからのＡＣ電力がある場合に、当該ＰＬＣ信号入出力端子と当該電源プラグとの間でＰＬＣ信号を結合し、当該電源プラグからのＡＣ電力が無い場合に、当該ＰＬＣ信号入出力端子と当該ＰＬＣ信号結合器（４６）との間でＰＬＣ信号を結合する第１のセレクタ（４４）と、
当該電力検出器の検出結果に従い、当該電源プラグからのＡＣ電力がある場合に、当該ＡＣ電力を当該モデム装置の電源として使用し、当該電源プラグからのＡＣ電力が無い場合に、当該バックアップ電源（５４）を当該モデム装置の電源として使用する第２のセレクタ（５０）
とを具備することを特徴とする電力線通信装置。
【請求項２】
電源プラグ（１２０）と、
バックアップ電源（１４６）と、
当該バックアップ電源の出力ＤＣ電圧をＡＣ電圧に変換するＤＣ／ＡＣ変換器（１４８）と、
当該電源プラグからのＡＣ電力の有無を検出する電力検出器（１５０）と、
ＰＬＣ信号入出力端子を具備する電力線通信のモデム装置（１５６）と、
当該電源プラグと当該ＤＣ／ＡＣ変換器の出力の一方を当該ＰＬＣ信号入出力端子に結合するセレクタ（１４０）と、
電力線との間で非接触でＰＬＣ（電力線通信）信号を結合するＰＬＣ信号結合器（１５４）であって、当該セレクタと当該ＤＣ／ＡＣ変換器の出力との間に接続するＰＬＣ信号結合器（１５４）と、
当該電力検出器の検出結果に従い当該セレクタを制御する制御回路であって、当該電源プラグからのＡＣ電力がある場合に、当該電源プラグを当該ＰＬＣ信号入出力端子に結合して、当該モデム装置を当該電源プラグのＡＣ電圧を電源として動作させると共に当該ＰＬＣ信号入出力端子と当該電源プラグとの間でＰＬＣ信号を伝送させ、当該電源プラグからのＡＣ電力が無い場合に、当該ＤＣ／ＡＣ変換器の出力と当該ＰＬＣ信号結合器（１５４）を当該ＰＬＣ信号入出力端子に結合して、当該モデム装置を当該ＤＣ／ＡＣ変換器の出力を電源として動作させると共に当該当該ＰＬＣ信号入出力端子と当該ＰＬＣ信号結合器との間でＰＬＣ信号を伝送させる制御回路（１５２）
とを具備することを特徴とする電力線通信装置。
【請求項３】
更に、当該電源プラグからの当該ＡＣ電力により当該バックアップ電源を充電する充電回路（５２，１４４）を具備することを特徴とする請求項１又は２に記載の電力線通信装置。
【発明の詳細な説明】
【技術分野】
【０００１】
本発明は、電力線通信装置に関する。
【背景技術】
【０００２】
最近、電力線通信ネットワークにおいて、物理速度が２００Ｍｂｐｓ以上のモデム製品が入手可能になっている。電力線通信では電力線を信号伝送路として利用するが、非常時等に電力線が切断状態となると、当然、通信が不可能となる。また電力線に物理的な問題が無い場合でも、過大な損失等の影響により、信号伝送路として十分な伝送帯域を確保できないこともある。
【０００３】
従来、電力線通信システムにおいて、無線信号を送受信する機能を設けることで、伝送媒体である電力線が物理的に切断された場合にも通信を確保する構成が提案されている（特許文献１）
【０００４】
また、電力線経由では良好な特性が得られない場合、漏洩電界を受信することで特性を改善することが、特許文献２に記載されている。
【特許文献１】特開平１０−２７６１２１号公報
【特許文献２】特開２００５−６４７５０号公報
【発明の開示】
【発明が解決しようとする課題】
【０００５】
電力線の切断等があっても、通信を維持できるのが好ましい。電力が遮断した電力線でも、電力線通信信号自体は得られることがある。
【０００６】
また、１つの電力線通信ネットワーク内に複数の電力系統がある場合、何れか１つの電力系統で電力が供給されなくても、残る電力系統は正常動作することがある。
【０００７】
ＡＣ電力が得られなくても、電力線通信機能を使ってデータ通信を維持できれば、緊急時に役立つ。また、コンセントの無い場所で、電力線通信を使いたいとする要望もある。
【０００８】
本発明は、このような要望を満たす電力線通信装置を提示することを目的とする。
【課題を解決するための手段】
【０００９】
本発明に係る電力線通信装置は、電源プラグと、バックアップ電源と、当該電源プラグからのＡＣ電力の有無を検出する電力検出器と、電力線との間で非接触でＰＬＣ（電力線通信）信号を結合するＰＬＣ信号結合器と、ＰＬＣ信号入出力端子を具備する電力線通信のモデム装置と、当該電力検出器の検出結果に従い、当該電源プラグからのＡＣ電力がある場合に、当該ＰＬＣ信号入出力端子と当該電源プラグとの間でＰＬＣ信号を結合し、当該電源プラグからのＡＣ電力が無い場合に、当該ＰＬＣ信号入出力端子と当該ＰＬＣ信号結合器との間でＰＬＣ信号を結合する第１のセレクタと、当該電力検出器の検出結果に従い、当該電源プラグからのＡＣ電力がある場合に、当該ＡＣ電力を当該モデム装置の電源として使用し、当該電源プラグからのＡＣ電力が無い場合に、当該バックアップ電源を当該モデム装置の電源として使用する第２のセレクタとを具備することを特徴とする。
【００１０】
本発明に係る電力線通信装置は、電源プラグと、バックアップ電源と、当該バックアップ電源の出力ＤＣ電圧をＡＣ電圧に変換するＤＣ／ＡＣ変換器と、当該電源プラグからのＡＣ電力の有無を検出する電力検出器と、ＰＬＣ信号入出力端子を具備する電力線通信のモデム装置と、当該電源プラグと当該ＤＣ／ＡＣ変換器の出力の一方を当該ＰＬＣ信号入出力端子に結合するセレクタと、電力線との間で非接触でＰＬＣ（電力線通信）信号を結合するＰＬＣ信号結合器であって、当該セレクタと当該ＤＣ／ＡＣ変換器の出力との間に接続するＰＬＣ信号結合器と、当該電力検出器の検出結果に従い当該セレクタを制御する制御回路であって、当該電源プラグからのＡＣ電力がある場合に、当該電源プラグを当該ＰＬＣ信号入出力端子に結合して、当該モデム装置を当該電源プラグのＡＣ電圧を電源として動作させると共に当該ＰＬＣ信号入出力端子と当該電源プラグとの間でＰＬＣ信号を伝送させ、当該電源プラグからのＡＣ電力が無い場合に、当該ＤＣ／ＡＣ変換器の出力と当該ＰＬＣ信号結合器を当該ＰＬＣ信号入出力端子に結合して、当該モデム装置を当該ＤＣ／ＡＣ変換器の出力を電源として動作させると共に当該当該ＰＬＣ信号入出力端子と当該ＰＬＣ信号結合器との間でＰＬＣ信号を伝送させる制御回路とを具備することを特徴とする。
【発明の効果】
【００１１】
本発明によれば、ＡＣ電力を得られない状況であっても、電力線通信を使って、データを送受信できる。
【発明を実施するための最良の形態】
【００１２】
以下、図面を参照して、本発明の実施例を詳細に説明する。
【実施例１】
【００１３】
図1は、本発明の第１実施例の概略構成ブロック図を示す。電力線１０のコンセント１２には電源プラグ２０が接続し、電源プラグ２０は電力線２２を介して本発明の一実施例である電力線通信装置２４に接続する。電力線通信装置２４は他方で、通信線２６を介してパーソナルコンピュータ等のデータ端末２８に接続する。また、電力線１０のコンセント１４には電源プラグ３０が接続し、電源プラグ３０は電力線３２を介してＰＬＣ（電力線通信）モデム装置３４に接続する。ＰＬＣモデム装置３４は他方で、通信線３６を介してデータ端末３８に接続する。
【００１４】
電力線通信装置２４の構成を説明する。電源プラグ２０から電力線通信装置２４には、電力線２２を介してＡＣ電源電圧とＰＬＣ信号が入力する。このＰＬＣ信号は、例えば、ＰＬＣモデム装置３４、又は電力線１０に接続する図示しないＰＬＣモデム装置から出力される。
【００１５】
ＰＬＣ信号分離回路４０は、電力線２２から入力するＡＣ電源電圧とＰＬＣ信号を分離し、ＡＣ電源電圧をＡＣ／ＤＣ変換器４２に、ＰＬＣ信号をセレクタ４４の端子Ａに供給する。ＰＬＣ信号分離回路４０はまた、セレクタ４４の端子Ａから入力するＰＬＣ信号を電力線２２上に出力する。
【００１６】
通信装置２４はまた、電力線１０との間でＰＬＣ信号を非接触式に結合可能なＰＬＣ信号結合器４６を具備する。このような結合器４６は例えば、フェライトコアやコイル等を用いる電磁結合器で実現できる。セレクタ４４の端子Ｂが、ＰＬＣ信号結合器４６に接続する。
【００１７】
セレクタ４４の共通端子Ｃは、ＰＬＣ信号を変復調するモデム回路４８のＰＬＣ信号入出力端子に接続する。セレクタ４４の共通端子Ｃは、後述する制御回路５８の制御下で、端子Ａと端子Ｂの何れか一方に接続する。モデム回路４８のデータ入出力端子は、通信線２６を介してデータ端末２８に接続する。モデム回路４８は、データ端末２８からのデータ信号を変調してＰＬＣ信号を生成し、そのＰＬＣ信号をセレクタ４４の共通端子Ｃに出力する。モデム回路４８はまた、セレクタ４４の共通端子ＣからのＰＬＣ信号を復調し、得られたデータ信号をデータ端末２８に出力する。
【００１８】
ＡＣ／ＤＣ変換器４２は、ＡＣ電源電圧をモデム回路４８の動作に必要なＤＣ電圧に変換する。ＡＣ／ＤＣ変換器４２から出力されるＤＣ電圧は、セレクタ４５の端子Aと充電回路５２に印加される。充電回路５２は、ＡＣ／ＤＣ変換器４２の出力ＤＣ電圧に従いバッテリ５４を充電する。バッテリ５４の出力電圧は、セレクタ５０の端子Ｂに印加される。
【００１９】
バッテリ５４は、電源プラグ２０からＡＣ電源をとれない場合の非常電源又はバックアップ電源となる。即ち、本実施例では、電源プラグ２０からＡＣ電源をとれる場合には、そのＡＣ電源でモデム回路４８を動作させ、電源プラグ２０からＡＣ電源をとれない場合には、バッテリ５４でモデム回路４８を動作させる。
【００２０】
電力検出器５６は、ＡＣ／ＤＣ変換器４２の出力電圧をモニタすることにより、電源プラグ２０からＡＣ電力が通信装置２４に供給されているか否かを検出する。勿論、電力検出器５６は、電力線２２上のＡＣ電圧、又は、ＡＣ／ＤＣ変換器３２の入力ＡＣ電圧をモニタしても良い。電力検出器５６は、検出結果を制御回路５８に印加する。制御回路４８は、セレクタ４０の共通端子Ｃから供給されるＤＣ電圧により動作し、電力検出器４６の検出結果に従い、セレクタ３４，４０を連動制御する。即ち、制御回路５８は、電力検出器４６の検出結果に従い、電源プラグ２０からＡＣ電力が通信装置２４に供給されている場合には、セレクタ４４，５０の共通端子Ｃをそれぞれの端子Ａに接続し、電源プラグ２０からＡＣ電力が通信装置２４に供給されていない場合には、セレクタ４４，５０の共通端子Ｃをそれぞれの端子Ｂに接続する。
【００２１】
データ端末２８，３８間の通信を例に、通信装置２４の動作を説明する。ＰＬＣモデム装置３４は、データ端末３８からのデータ信号を変調して、ＰＬＣ信号を生成する。このＰＬＣ信号は、電力線３２、電源プラグ３０、コンセント１４、電力線１０、コンセント１２、電源プラグ２０及び電力線２２を介して、通信装置２４に到達する。
【００２２】
コンセント１２にＡＣ電力が正常に供給されている場合、通信装置２４は、以下のように動作する。このとき、ＡＣ／ＤＣ変換器４２は、有効なＤＣ電圧を出力しており、電力検出器５６が、ＡＣ／ＤＣ変換器４２の出力ＤＣ電圧を検出し、制御回路５８に検出結果を通知する。制御回路５８は、検出器５６の検出結果に従い、セレクタ４４，５０の共通端子Ｃを端子Ａに接続する。
【００２３】
電源プラグ２０からのＡＣ電源電圧は、ＰＬＣ信号分離回路４０を介してＡＣ／ＤＣ変換器４２に入力し、ＤＣ電圧に変換される。このＤＣ電圧は、セレクタ５０を介してモデム回路４８に電源電圧として供給される。充電回路５２は、ＡＣ／ＤＣ変換器４２の出力ＤＣ電圧に従いバッテリ５４を充電する。これによりＡＣ電源の供給が途絶えたときに備える。
【００２４】
ＰＬＣ信号分離回路４０は、電力線２２からのＰＬＣ信号を分離する。分離されたＰＬＣ信号は、セレクタ４４を介してモデム回路４８に印加される。モデム回路４８は、セレクタ４４からのＰＬＣ信号を復調し、得られるデータ信号を通信線２６を介してデータ端末２８に供給する。
【００２５】
他方、モデム回路４８は、データ端末２８が出力されるデータ信号を変調してＰＬＣ信号を生成する。このＰＬＣ信号は、セレクタ４４を介してＰＬＣ信号分離回路４０に印加される。ＰＬＣ信号分離回路４０は、セレクタ４４からのＰＬＣ信号を電力線２２上に出力する。このＰＬＣ信号は、電力線２２，１０、電源プラグ３０及び電力線３２を介してＰＬＣモデム装置３４に入力する。ＰＬＣモデム装置３４は、電力線３２からのＰＬＣ信号を復調し、得られるデータ信号をデータ端末３８に供給する。
【００２６】
次に、電力線１０の切断、その他の理由により、コンセント１２にのみＡＣ電源電圧が供給されなくなったとする。勿論、コンセント１４にはＡＣ電源が供給されており、ＰＬＣモデム装置３４及びデータ端末３８は正常に動作している。データ端末２８も、別電源により正常に動作している。
【００２７】
この状態では、ＡＣ／ＤＣ変換器４２は、有効なＤＣ電圧を出力せず、電力検出器５６は、ＡＣ／ＤＣ変換器４２の出力から電力を検出しない。制御回路５８は、検出器５６の検出結果に従い、セレクタ４４，５０の共通端子Ｃを端子Ｂに接続する。この結果、モデム回路４８は、バッテリ５４を電源として動作し、ＰＬＣ信号の伝送にはＰＬＣ信号結合器４６が使用される。ユーザは、ＰＬＣ信号結合器４６を、ＰＬＣ信号が伝搬している電力線１０に近接して配置する。
【００２８】
電力線１０上のＰＬＣ信号は、ＰＬＣ信号結合器４６及びセレクタ４４を介してモデム回路４８に入力する。モデム回路４８は、セレクタ４４からのＰＬＣ信号を復調し、得られるデータ信号を通信線２６を介してデータ端末２８に供給する。他方、モデム回路４８は、データ端末２８が出力されるデータ信号を変調してＰＬＣ信号を生成する。このＰＬＣ信号は、セレクタ４４及びＰＬＣ信号結合器４６を介して電力線１０に結合する。電力線１０に結合したＰＬＣ信号は、電力線１０、電源プラグ３０及び電力線３２を介してＰＬＣモデム装置３４に入力する。ＰＬＣモデム装置３４は、電力線３２からのＰＬＣ信号を復調し、得られるデータ信号をデータ端末３８に供給する。
【００２９】
このように、通信装置２４を使うことにより、コンセント１２からのＡＣ電力供給が途絶えても又はＡＣ電源を得られない環境でも、データ端末２８，３８はＰＬＣによりデータを相互に伝送できる。
【００３０】
本実施例の通信装置２４は、屋外等においてコンセントからの電源が取れない場所や、電気的接点を設けたくない場所で、特に有用である。
【実施例２】
【００３１】
図２は、本発明の第２実施例の概略構成ブロック図を示す。電力線１１０のコンセント１１２には電源プラグ１２０が接続し、電源プラグ１２０は電力線１２２を介して本発明の第２実施例である電力線通信装置１２４に接続する。電力線通信装置１２４は他方で、通信線１２６を介してパーソナルコンピュータ等のデータ端末１２８に接続する。また、電力線１１０のコンセント１１４には電源プラグ１３０が接続し、電源プラグ１３０は電力線１３２を介してＰＬＣモデム装置１３４に接続する。ＰＬＣモデム装置１３４は他方で、通信線１３６を介してデータ端末１３８に接続する。
【００３２】
電力線通信装置１２４の構成を説明する。電源プラグ１２０から電力線通信装置１２４には、電力線１２２を介してＡＣ電源電圧とＰＬＣ信号が入力する。このＰＬＣ信号は、例えば、ＰＬＣモデム装置１３４、又は電力線１１０に接続する図示しないＰＬＣモデム装置から出力される。
【００３３】
電力線１２２は、セレクタ１４０の端子Ａに接続する。ＡＣ／ＤＣ変換器１４２は、電力線１２２上のＡＣ電圧をＤＣ電圧に変換し、充電回路１４４は、ＡＣ／ＤＣ変換器１４２の出力ＤＣ電圧に従い、バッテリ１４６を充電する。バッテリ１４６は、電源プラグ１２０からＡＣ電源をとれない場合の非常電源又はバックアップ電源となる。
【００３４】
ＤＣ／ＡＣ変換器１４８は、バッテリ１４６の出力ＤＣ電圧をＡＣ電圧に変換して、セレクタ１４０の端子Ｂに供給する。セレクタ１４０の共通端子Ｃは、ＰＬＣモデム装置１５６のＰＬＣ入出力端子に接続する。ＰＬＣモデム装置１５６のデータ入出力端子は、通信線１２６を介してデータ端末１２８に接続する。
【００３５】
電力検出器１５０は、電力線１２２上のＡＣ電圧をモニタすることにより、電源プラグ１２０からＡＣ電力が通信装置１２４に供給されているか否かを検出する。電力検出器１５０は、検出結果を制御回路１５２に印加する。制御回路１５２は、バッテリ１４６の出力電圧により動作し、電力検出器１５０の検出結果に従い、セレクタ１４０を制御する。
【００３６】
即ち、制御回路１５２は、電力検出器１５０の検出結果に従い、電源プラグ１２０からＡＣ電力が通信装置１２４に供給されている場合には、セレクタ１４０の共通端子Ｃを端子Ａに接続し、電源プラグ１２０からＡＣ電力が通信装置１２４に供給されていない場合には、セレクタ１４０の共通端子Ｃを端子Ｂに接続する。
【００３７】
通信装置１２４はまた、電力線１１０との間でＰＬＣ信号を非接触式に結合可能なＰＬＣ信号結合器１５４を具備する。このような結合器１５４は例えば、フェライトコアやコイル等を用いる電磁結合器で実現できる。ＰＬＣ信号結合器１５４は、ＤＣ／ＡＣ変換器１４８の出力とセレクタ１４０の端子Ｂとの間に接続する。
【００３８】
データ端末１２８，１３８間の通信を例に、通信装置１２４の動作を説明する。ＰＬＣモデム装置１３４は、データ端末１３８からのデータ信号を変調して、ＰＬＣ信号を生成する。このＰＬＣ信号は、電力線１３２、電源プラグ１３０、コンセント１１４、電力線１１０、コンセント１１２、電源プラグ１２０及び電力線１２２を介して、通信装置１２４に到達する。
【００３９】
コンセント１１２にＡＣ電力が正常に供給されている場合、通信装置１２４は、以下のように動作する。このとき、電力検出器１５０は、電力線１２２上にＡＣ電圧を検出し、制御回路１５２に検出結果を通知する。制御回路１５２は、検出器１５０の検出結果に従い、セレクタ１４０の共通端子Ｃを端子Ａに接続する。ＡＣ／ＤＣ変換器１４２は、電力線１２２上のＡＣ電圧をＤＣ電圧に変換し、充電回路１４４は、ＡＣ／ＤＣ変換器１４２の出力ＤＣ電圧に従い、バッテリ１４６を充電する。これによりＡＣ電源の供給が途絶えたときに備える。
【００４０】
セレクタ１４０が端子Ａに接続するので、ＰＬＣモデム装置１５６には、電力線１２２上のＡＣ電圧とＰＬＣ信号が入力する。ＰＬＣモデム装置１５６は、このＡＣ電圧を電源として動作し、当該ＰＬＣ信号を復調し、得られるデータ信号を通信線１２６を介してデータ端末１２８に供給する。ＰＬＣモデム装置１５６はまた、データ端末１２８が出力されるデータ信号を変調してＰＬＣ信号を生成する。このＰＬＣ信号は、セレクタ１４０を介して電力線１２２上に出力され、電源プラグ１２０、電力線１１０、電源プラグ１３０及び電力線１３２を介してＰＬＣモデム装置１３４に入力する。ＰＬＣモデム装置１３４は、電力線１３２からのＰＬＣ信号を復調し、得られるデータ信号をデータ端末１３８に供給する。
【００４１】
次に、電力線１０の切断、その他の理由により、コンセント１１２にのみＡＣ電源電圧が供給されなくなったとする。勿論、コンセント１１４にはＡＣ電源が供給されており、ＰＬＣモデム装置１３４及びデータ端末１３８は正常に動作している。データ端末１２８も、別電源により正常に動作している。
【００４２】
この状態では、充電回路１４４によるバッテリ１４６の充電は行われない。電力検出器１５０は、電力線１２２上にＡＣ電圧を検出しない。制御回路１５２は、検出器１５０の検出結果に従い、セレクタ１４０の共通端子Ｃを端子Ｂに接続する。この結果、ＤＣ／ＡＣ変換器１４８の出力ＡＣ電圧がＰＬＣモデム装置１５６に供給され、ＰＬＣモデム装置１５６は、バッテリ１４６を電源として動作する。ＰＬＣ信号の伝送にはＰＬＣ信号結合器１５４を使用するので、ユーザは、ＰＬＣ信号結合器１５４を、ＰＬＣ信号が伝搬している電力線１１０に近接して配置する。
【００４３】
電力線１１０上のＰＬＣ信号は、ＰＬＣ信号結合器１５４及びセレクタ１４０を介してＰＬＣモデム装置１５６に入力する。ＰＬＣモデム装置１５６は、ＰＬＣ信号結合器１５４からセレクタ１４０を介して入力するＰＬＣ信号を復調し、得られるデータ信号を通信線１２６を介してデータ端末１２８に供給する。他方、ＰＬＣモデム装置１５６は、データ端末１２８が出力されるデータ信号を変調してＰＬＣ信号を生成する。このＰＬＣ信号は、セレクタ１４０及びＰＬＣ信号結合器１５４を介して電力線１１０に結合する。ＰＬＣ信号結合器１５４から電力線１１０に結合したＰＬＣ信号は、電力線１１０、電源プラグ１３０及び電力線１３２を介してＰＬＣモデム装置１３４に入力する。ＰＬＣモデム装置１３４は、電力線１３２からのＰＬＣ信号を復調し、得られるデータ信号をデータ端末１３８に供給する。
【００４４】
このように、通信装置１２４を使うことにより、コンセント１１２からのＡＣ電力供給が途絶えても又はＡＣ電源を得られない環境でも、データ端末１２８，１３８はＰＬＣによりデータを相互に伝送できる。
【００４５】
本実施例の通信装置１２４もまた、屋外等においてコンセントからの電源が取れない場所や、電気的接点を設けたくない場所で、特に有用である。
【００４６】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４７】
【図１】本発明の第１実施例の概略構成ブロック図である。
【図２】本発明の第2実施例の概略構成ブロック図である。
【符号の説明】
【００４８】
１０：電力線
１２，１４：コンセント
２０：電源プラグ
２２：電力線
２４：電力線通信装置
２６：通信線
２８：データ端末
３０：電源プラグ
３２：電力線
３４：ＰＬＣモデム装置
３６：通信線
３８：データ端末
４０：ＰＬＣ信号分離回路
４２：ＡＣ／ＤＣ変換器
４４：セレクタ
４６：ＰＬＣ信号結合器
４８：モデム回路
５０：セレクタ
５２：充電回路
５４：バッテリ
５６：電力検出器
５８：制御回路
１１０：電力線
１１２，１１４：コンセント
１２０：電源プラグ
１２２：電力線
１２４：電力線通信装置
１２６：通信線
１２８：データ端末
１３０：電源プラグ
１３２：電力線
１３４：ＰＬＣモデム装置
１３６：通信線
１３８：データ端末
１４０：セレクタ
１４２：ＡＣ／ＤＣ変換器
１４４：充電回路
１４６：バッテリ
１４８：ＤＣ／ＡＣ変換器
１５０：電力検出器
１５２：制御回路
１５４：ＰＬＣ信号結合器
１５６：ＰＬＣモデム装置
【図１】
0004720575.tif 000002
【図２】
0004720575.tif 000003